(57)【特許請求の範囲】
【請求項１】
商用電力系統から電気負荷に至る交流電力の給電路に接続可能な発電機と、前記発電機を駆動する内燃機関と、前記内燃機関の動作を制御する制御部からなると共に、ケースに収納された発電ユニットを少なくとも備えるコージェネレーション装置において、前記ケースを仕切りで鉛直方向に仕切って得た少なくとも２つの室の一方に前記発電機と前記内燃機関を前記鉛直方向に上下に配置し、他方の室に前記制御部と温度センサを収容し、さらに前記他方の室の前記鉛直方向において下方に外部の冷却風が吸引される通気孔を設ける一方、上方に前記制御部専用の換気装置を設け、前記内燃機関を吸気管は吸気ダクト、排気管は排気ダクト、冷却水の給水口は給水管、排水口は排水管で直接接続し、よって前記一方の室に密閉して収容すると共に、前記制御部は、前記温度センサの出力に応じて前記換気装置の動作を制御することを特徴とするコージェネレーション装置。
【発明の詳細な説明】
【技術分野】
【０００１】
この発明はコージェネレーション装置に関し、より具体的には発電ユニットの換気についてのコージェネレーション装置に関する。
【背景技術】
【０００２】
近年、商用電力系統から電気負荷に至る交流電力の給電路に内燃機関で駆動される発電機を接続し、商用電力系統と連系させて電気負荷に電力を供給すると共に、内燃機関の排熱を利用して加温した温水などを熱負荷に供給するようにした、いわゆるコージェネレーション装置が種々提案されている。また、その中で、騒音を抑えつつ、換気ファンモータ部を外気で直接冷却するものも知られており、その例として特許文献１記載の技術を挙げることができる。
【特許文献１】特開平１１−２００９５１号公報
【０００３】
特許文献１記載の技術においては、防音ケースで囲まれたコージェネレーション装置において、防音ケースの換気口寄りの上部側に換気ファンを設け、防音ケースの天井板を二重構造として空洞部を形成し、その空洞部などを介して外気を吸い込むことにより、換気ファンのモータ部を直接冷却する冷却風を生成している。
【発明の開示】
【発明が解決しようとする課題】
【０００４】
ところで、この種の換気ファンの風量は一般に冷却の厳しい高温時に合せて設定されるので、高温時ではないとき、冷却風量が不要に増加することから、放熱ロスが大きい。
【０００５】
従って、この発明の目的は上記した課題を解決し、発電ユニットを備えたコージェネレーション装置において、放熱ロスを防止するようにしたコージェネレーション装置を提供することにある。
【課題を解決するための手段】
【０００６】
上記した課題を解決するために、請求項１にあっては、商用電力系統から電気負荷に至る交流電力の給電路に接続可能な発電機と、前記発電機を駆動する内燃機関と、前記内燃機関の動作を制御する制御部からなると共に、ケースに収納された発電ユニットを少なくとも備えるコージェネレーション装置において、前記ケースを仕切りで鉛直方向に仕切って得た少なくとも２つの室の一方に前記発電機と前記内燃機関を前記鉛直方向に上下に配置し、他方の室に前記制御部と温度センサを収容し、さらに前記他方の室の前記鉛直方向において下方に外部の冷却風が吸引される通気孔を設ける一方、上方に前記制御部専用の換気装置を設け、前記内燃機関を吸気管は吸気ダクト、排気管は排気ダクト、冷却水の給水口は給水管、排水口は排水管で直接接続し、よって前記一方の室に密閉して収容すると共に、前記制御部は、前記温度センサの出力に応じて前記換気装置の動作を制御する如く構成した。
【発明の効果】
【０００８】
請求項１に係るコージェネレーション装置にあっては、ケースを仕切りで鉛直方向に仕切って得た少なくとも２つの室の一方に発電機と内燃機関を前記鉛直方向に上下に収容すると共に、他方の室に制御部と温度センサを収容し、さらに他方の室の鉛直方向において下方に外部の冷却風が吸引される通気孔を設ける一方、上方に制御部専用の換気装置を設ける如く構成したので、熱の浮力や換気装置の駆動に伴い、冷却風が通気孔から吸引され、制御部を冷却しつつ他方の室の内部のみ移動し、換気装置から外部に排出される。また、換気装置を制御部専用とすることで風量をある範囲に制限することができると共に、例えば温度などを検出してその動作を制御することで、放熱ロスを防止することができる。
【０００９】
また、内燃機関を吸気管は吸気ダクト、排気管は排気ダクト、冷却水の給水口は給水管、排水口は排水管で直接接続し、よって一方の室に密閉して収容する如く構成したので、上記した効果に加え、内燃機関からの排熱の制御部への伝達が低減されると共に、内燃機関を密閉構造とすることで、内燃機関の温度は上がることから、冷却水の温度も高温にすることができて暖房効率などを高めることができる。
【００１０】
また、制御部は、温度センサの出力に応じて換気装置の動作を制御する如く構成したので、上記した効果に加え、例えば温度が一定となるように換気装置の動作を制御することも可能となり、放熱ロスを一層良く防止することができる。
【発明を実施するための最良の形態】
【００１１】
以下、添付図面に即してこの発明に係るコージェネレーション装置を実施するための最良の形態について説明する。
【実施例】
【００１２】
図１は、この発明の実施例に係るコージェネレーション装置を模式的に示す模式図である。
【００１３】
図示の如く、コージェネレーション装置（符号１０で示す）は、商用電源（商用電力系統）１２から家庭内電気負荷（電気負荷）１４に至る交流電力の給電路（電力線）１６に接続可能な発電機（「ＧＥＮ」と示す）２０と、発電機２０を駆動する内燃機関（「ＥＮＧ」と示し、以下「エンジン」という）２２と、発電制御部２４からなる発電ユニット２６を備える。
【００１４】
商用電源１２は、単相３線からＡＣ１００／２００Ｖで５０Ｈｚ（または６０Ｈｚ）の交流電力を出力する。発電ユニット２６は一体化され、発電ユニットケース（筐体）３０の内部に収容される。
【００１５】
より具体的には図示の如く、発電ユニットケース３０は仕切り３０ａで２つの室３０ａ１，３０ａ２に仕切られ、図において右の室３０ａ１に発電機２０とエンジン２２が鉛直方向において上下に配置されると共に、左の室３０ａ２に発電制御部２４が収容される。発電制御部２４はエンジン２２から隔離され、エンジン２２からの放熱を可能な限り遮断させられるようにエンジン２２とは別室に収容される。
【００１６】
エンジン２２は都市ガス（あるいはＬＰガス）を燃料とする、水冷４サイクルの単気筒ＯＨＶ型の火花点火式のエンジンであり、例えば１６３ｃｃの排気量を備える。図示は省略するが、発電ユニットケース３０においてエンジン２２のシリンダヘッドとシリンダブロックは横（水平）方向に配置され、その内部に１個のピストンが往復動自在に配置される。
【００１７】
発電ユニットケース３０に気密に取り付けられた吸気ダクト２２ａから供給された吸気管（図示せず）から吸入され、同様に吸入されたガスと共にミキサ（図示せず）で混合され、生成された混合気は燃焼室（図示せず）に流れ、点火されるとき燃焼してピストン（図示せず）を駆動し、発電ユニットケース３０において縦（鉛直）方向にピストンに連結されるクランクシャフト（図示せず）を回転させる。
【００１８】
よって生じた排ガスは、排気管（図示せず）から発電ユニットケース３０に気密に取り付けられた排気ダクト３２を流れて屋外に排出される。
【００１９】
シリンダブロックなどの発熱部位の付近に形成されるエンジンの冷却水通路（図示せず）を流れる、不凍液からなる冷却水は発熱部位と熱交換してエンジン２２を冷却させつつ昇温する。詳細な図示は省略するが、冷却水通路は給水口と排水口を介して冷却水循環路３４に直接かつ液密に接続される。冷却水循環路３４は、排気管に沿って設けられた排気熱交換器３６を通過させられ、そこでの熱交換によって内部を流れる冷却水はさらに昇温する。
【００２０】
図示の構成において発電ユニットケース３０に気密に取り付けられた吸気ダクト２２ａと排気ダクト３２は吸気管と排気管と直接かつ気密に接続されると共に、冷却水通路は給水口と排水口を介して冷却水循環路３４に直接かつ液密に接続されることから、エンジン２２は室３０ａ１に密閉して収容される。
【００２１】
クランクシャフトの上端にはフライホイール（図示せず）が取り付けられると共に、その内側には多極コイルからなる発電機２０が配置される。発電機２０はフライホイールとの間で相対回転するとき、交流電力を発電する。発電機２０の出力は、発電制御部２４に送られる。
【００２２】
図示は省略するが、発電制御部２４は、マイクロコンピュータからなる電子制御ユニット（Electronic Control Unit。以下「ＥＣＵ」という）と、インバータと、ＤＣ／ＤＣコンバータを備える。インバータは、ＤＣ／ＤＣコンバータを介して発電機２０の出力をＡＣ１００／２００Ｖ（単相）に変換する。
【００２３】
発電ユニット２６の発電出力は、１．０ｋＷ程度である。インバータの出力はブレーカ（図示せず）を介して給電路１６に接続される。発電機２０は逆に商用電源１２からインバータを介して通電されるとき、エンジン２２をクランキングするスタータモータとしても機能する。発電制御部２４のＥＣＵは発電機２０の機能をスタータとジェネレータの間で切り換えると共に、エンジン２２などの動作を制御する。
【００２４】
図２は、発電ユニット２６をより詳細に示すブロック図である。
【００２５】
図示の如く、室３０ａ２には発電制御部２４の専用の換気装置として電動ファン２４ａが設けられると共に、温度センサ２４ｂが設けられて室３０ａ２の温度を示す出力を生じる。発電制御部２４は、温度センサ２４ｂの出力を入力し、室３０ａ２の温度が一定となるように、電動ファン２４ａの動作を制御する。
【００２６】
室３０ａ２には下部で通気孔３０ａ２２が穿設される。電動ファン２４ａは、熱の浮力を考慮して室３０ａ２の重力方向において上方に設ける。電動ファン２４ａの駆動に伴い、冷却風が通気孔３０ａ２２から吸引され、発電制御部２４、特にそのインバータおよびＤＣ／ＤＣコンバータを冷却しつつ室３０ａ２の内部のみ移動し、電動ファン２４ａから発電ユニットケース３０の外部に排出される。
【００２７】
図１の説明に戻ると、コージェネレーション１０は、発電ユニット２６に加え、温風暖房ユニット４０を備える。
【００２８】
温風暖房ユニット４０は、エンジン２２の冷却水循環路３４に接続される排熱熱交換器４２と、バーナ４４と、バーナ４４の燃焼ガスの吸排気路４４ａに接続される顕熱熱交換器４４ｂと潜熱熱交換器４４ｃと、吸気を排熱熱交換器４２、および顕熱熱交換器４４ｂと潜熱熱交換器４４ｃに送って熱交換させ、よって生成された温風を温風通路から室内に供給するブロア４６と、温風暖房ユニット制御部５０を備える。
【００２９】
温風暖房ユニット４０は温風暖房ユニットケース（図示せず）に収容されると共に、温風通路を介して各部屋に接続される。
【００３０】
以下、上記した構成を個別に説明する。
【００３１】
発電ユニット２６と温風暖房ユニット４０は、前記した冷却水循環路３４で接続される。即ち、冷却水循環路３４はエンジン２２から温風暖房ユニット４０に向けて延び、ブロア４６の付近に配置された排熱熱交換器４２に接続され、そこでブロア４６で吸引された各部屋の冷気と熱交換させられた後、エンジン２２に戻る。
【００３２】
冷気は排熱熱交換器４２での熱交換で昇温させられて温風となり、ブロア４６によって送風ダクト（図示せず）から温風通路から各部屋に供給され、各部屋を暖房する。
【００３３】
バーナ４４は燃焼ファンで屋外から吸排気路４４ａを介して空気を吸引し、供給ガスと混合させて燃焼させる。それにより生じた燃焼ガスは顕熱熱交換器４４ｂと潜熱熱交換器４４ｃを通り、吸排気路４４ａから屋外に放出される。
【００３４】
顕熱熱交換器４４ｂと潜熱熱交換器４４ｃは、ブロア４６の送風ダクト（図示せず）を通る空気と熱交換して昇温させる。具体的には、顕熱熱交換器４４ｂは燃焼ガスの露点までの熱を放熱し、潜熱熱交換器４４ｃは露点以下の熱を放熱する。潜熱熱交換器４４ｃで発生する凝縮水はドレンパイプ（図示せず）を介して屋外に排出される。
【００３５】
ブロア４６は各部屋から冷気を吸引する一方、排熱熱交換器４２で熱交換によって昇温させられると共に、バーナ４４の燃焼によってさらに昇温させられた温風を送風ダクトから各部屋に送風し、各部屋を暖房する。
【００３６】
温風暖房ユニット制御部（以下「温風制御部」という）５０も発電制御部２４のＥＣＵと同様、マイクロコンピュータからなるＥＣＵ（電子制御ユニット）を備える。温風制御部のＥＣＵは、発電制御部２４のＥＣＵと通信自在に接続されると共に、リモートコントローラ（図に「リモコン」と示す）６０にも通信自在に接続される。リモートコントローラ６０はユーザによって操作され、目標室温などの設定に使用される。
【００３７】
図１においてＴは温度センサ、Ｖはバルブ、Ｐはポンプを示し、信号線の図示は一部省略するが、それらは温風制御部５０に電気的に接続される。温風制御部５０は温度センサ６２，６４の出力に基づき、バルブＶとポンプＰの動作を制御してエンジン２２の排熱の回収と、ブロア４６とバーナ４４の動作を制御する。
【００３８】
即ち、温風制御部５０は、排熱ポンプ７０を駆動して冷却水循環路３４を流れる冷却水を排熱熱交換器４２に圧送し、冷却水循環路３４を流れる循環水とブロア４６で吸引された各部屋の冷気と熱交換させる。
【００３９】
尚、排気熱交換器３６の内部での凝縮水の溜り込みによる腐食防止とエンジンオイルの耐久性を考慮し、温風制御部５０は、冷却水のエンジン２２の入口温度が例えば７０℃となるように制御する。
【００４０】
温風制御部５０の動作をさらに説明する。
【００４１】
先ず、商用電源１２と連系してコージェネレーション装置１０を運転する場合を説明する。
【００４２】
（ａ）暖房運転
温風制御部５０は、各部屋に配置された温度センサ６２（符号６２で各部屋のセンサをまとめて示す）の出力と、リモートコントローラ６０（符号６０で各部屋のリモートコントローラをまとめて示す）を介してユーザから設定された温度（目標温度）と比較し、検出温度が設定温度を下回ると、発電制御部２４に指令して発電ユニット２６を稼動させると共に、検出温度が設定温度に達すると、稼動を停止させる。以降、それを繰り返す。
【００４３】
（ｂ）バーナの稼動
温風制御部５０は、規定時間を経過しても検出された室温が設定温度に達しないとき、あるいは検出された室温と設定温度との差が既定値を超えるとき、発電ユニット２６の稼動のみでは不足と判断し、設定温度に達するまでバーナ４４を稼動（燃焼）させ、バーナ４４で昇温された温風をブロア４６で各部屋に供給する。尚、検出温度が設定温度に達すると、バーナ４４の稼動を停止させる。このように、温風制御部５０は、室内の温度（室温）が目標温度に対して低いとき、バーナ４４を燃焼させ、よって温風の温度を昇温させる。
【００４４】
次いで、商用電源１２に停電が発生した場合など、商用電源１２と連系せず、自立的にコージェネレーション装置１０を運転する場合を説明する。
【００４５】
その場合、発電制御部２４は、停電発生と同時に発電ユニット２６を起動させる。発電制御部２４のＥＣＵは、電気負荷１４に応じて発電ユニット２６を運転して発電させる。発電制御部２４のＥＣＵは、電気負荷が増加すると電圧が降下する一方、電気負荷が減少すると電圧が上昇することから、一定の電圧となるように、発電出力を調整する。
【００４６】
発電ユニット２６が動作すると、発電出力しないアイドル運転時も含め、熱出力が生じるが、温風制御部５０は、熱需要に応じて上記した商用電源１２との連系時と同様の暖房運転、バーナの稼働などを行う。
【００４７】
上記の如く、この実施例においては、商用電源（商用電力系統）１２から家庭内電気負荷（電気負荷）１４に至る交流電力の給電路（電力線）１６に接続可能な発電機２０と、前記発電機２０を駆動するエンジン（内燃機関）２２と、前記エンジン２２の動作を制御する発電制御部（制御部）２４からなると共に、発電ユニットケース（ケース）３０に収納された発電ユニット２６を少なくとも備えるコージェネレーション装置において、前記ケース３０を仕切り３０ａで鉛直方向に仕切って得た少なくとも２つの室の一方３０ａ１に前記発電機２０と前記エンジン２２を前記鉛直方向に上下に配置し、他方の室３０ａ２に前記発電制御部２４と温度センサ２４ｂを収容し、さらに前記他方の室３０ａ２の前記鉛直方向において下方に外部の冷却風が吸引される通気孔３０ａ２２を設ける一方、上方に前記制御部専用の電動ファン（換気装置）２４ａを設ける如く構成した。
【００４８】
これにより、熱の浮力や電動ファン２４ａの駆動に伴い、冷却風が通気孔３０ａ２２から吸引され、発電制御部２４を冷却しつつ他方の室３０ａ２の内部のみ移動し、電動ファン２４ａから外部に排出される。また、電動ファン２４ａを発電制御部２４の専用とすることで風量をある範囲に制限することができると共に、例えば温度などを検出してその動作を制御することで、放熱ロスを防止することができる。
【００４９】
さらに、前記エンジン２２を吸気管は吸気ダクト２２ａ、排気管は排気ダクト３２、冷却水の給水口は給水管、排水口は排水管で直接接続し、よって前記一方の室３０ａ１に密閉して収容する如く構成したので、上記した効果に加え、エンジン２２からの排熱の発電制御部２４への伝達が低減されると共に、エンジン２２を密閉構造とすることで、エンジン２２の温度は上がることから、冷却水の温度も高温にすることができて温風暖房ユニット４０における暖房効率などを高めることができる。
【００５０】
また、前記発電制御部２４は、前記温度センサ２４ｂの出力に応じて前記電動ファン２４ａの動作を制御する如く構成したので、上記した効果に加え、例えば温度が一定となるように電動ファン２４ａの動作を制御することも可能となり、放熱ロスを一層良く防止することができる。
【００５１】
尚、上記において、発電機２０の駆動源として都市ガス・ＬＰガスを燃料とするガスエンジンとしたが、ガソリン燃料などを使用するエンジンであっても良い。
【００５２】
また、発電機２０の出力およびエンジン２２の排気量などを具体的な値で示したが、それらは例示であって限定されるものではないこともいうまでもない。
【図面の簡単な説明】
【００５３】
【図１】この発明の実施例に係るコージェネレーション装置を全体的に示すブロック図である。
【図２】図１に示す発電ユニットをより詳細に示すブロック図である。
【符号の説明】
【００５４】
１０  コージェネレーション装置、１２  商用電源（商用電力系統）、１４  家庭内電気負荷（電気負荷）、１６  給電路（電力線）、２０  発電機、２２  エンジン（内燃機関）、２２ａ  吸気ダクト、２４  発電制御部、２４ａ  電動ファン（換気装置）、２４ｂ  温度センサ、２６  発電ユニット、３０  発電ユニットケース、３０ａ  仕切り、３０ａ１  一方の室、３０ａ２  他方の室、３２  排気ダクト、３４  冷却水循環路、３６  排気熱交換器、４０  温風暖房ユニット、４２  排熱熱交換器、４４  バーナ、４４ｂ  顕熱熱交換器、４４ｃ  潜熱熱交換器、５０  温風暖房ユニット制御部
【図２】
0005043558.tif 000002
【図１】
0005043558.tif 000003